(57)【要約】      （修正有）【課題】信頼性の高い配送方法を実現するためのプログラムを提供する。【解決手段】プログラムは、情報処理端末に、他の情報処理装置から配送依頼に関する情報を受信するステップと、配送元ユーザ及び／又は配送先ユーザから、配送者ユーザに、所定の仮想資産を送金する第１取引情報であって、一又は複数の解錠条件が指定された第１取引情報を、ブロックチェーンネットワークから受信するステップと、配送依頼に関して配送元ユーザが有する第１情報コードと、配送依頼に関して配送先ユーザが有する第２情報コードと、を読み取り、第１情報コードに含まれる第１情報と第２情報コードに含まれる第２情報とを取得するステップと、解錠条件の一つに対応する解放条件として第１情報と第２情報を含む第２取引情報を作成し、ブロックチェーンネットワークに送信するステップと、を実行させる。【選択図】図２１
2020123265.tif 000002
【特許請求の範囲】
【請求項１】
情報処理端末に、
他の情報処理装置から配送依頼に関する情報を受信するステップと、
配送元ユーザ及び／又は配送先ユーザが保有する仮想資産から、配送者ユーザに、所定の仮想資産を送金する第１取引情報であって、一又は複数の解錠条件が指定された前記第１取引情報を、ブロックチェーンネットワークから受信するステップと、
前記配送依頼に関して前記配送元ユーザが有する第１情報コードと、前記配送依頼に関して前記配送先ユーザが有する第２情報コードと、を読み取り、前記第１情報コードに含まれる第１情報と前記第２情報コードに含まれる第２情報とを取得するステップと、
前記解錠条件の一つに対応する解放条件として前記第１情報と前記第２情報を含む第２取引情報を作成し、ブロックチェーンネットワークに送信するステップと、を実行させる、
プログラム。
【請求項２】
前記配送依頼に関する情報を受信するステップは、
復号鍵を受信するステップを含み、
前記第１情報と前記第２情報とを取得するステップは、
前記第１情報コードに含まれる第１暗号情報と、前記第２情報コードに含まれる第２暗号情報とを前記復号鍵を用いて復号するステップと、
復号された前記第１情報及び前記第２情報を取得するステップと、を含む、
請求項１に記載のプログラム。
【請求項３】
前記第１取引情報に指定される前記解錠条件の一つが、所定期間の経過と、前記第１取引情報による前記仮想資産の移動元のユーザが有する情報と、を含む、
請求項１又は２に記載のプログラム。
【請求項４】
配送依頼に関する情報を他の情報処理装置から受信し、配送元ユーザ及び／又は配送先ユーザから、配送者ユーザに、所定の仮想資産を送金する第１取引情報であって、一又は複数の解錠条件が指定された前記第１取引情報をブロックチェーンネットワークから受信する受信部と、
前記配送依頼に関して前記配送元ユーザが有する第１情報コードと、前記配送依頼に関して前記配送先ユーザが有する第２情報コードと、を読み取り、前記第１情報コードに含まれる第１情報と前記第２情報コードに含まれる第２情報とを取得する光学的検知部と、
前記解錠条件の一つに対応する解放条件として前記第１情報と前記第２情報を含む第２取引情報を作成する取引情報作成部と、
前記第２取引情報をブロックチェーンネットワークに送信する送信部と、を有する、
情報処理端末。
【請求項５】
情報処理端末が、
他の情報処理装置から配送依頼に関する情報を受信するステップと、
配送元ユーザ及び／又は配送先ユーザから、配送者ユーザに、所定の仮想資産を送金する第１取引情報であって、一又は複数の解錠条件が指定された前記第１取引情報を、ブロックチェーンネットワークから受信するステップと、
前記配送依頼に関して前記配送元ユーザが有する第１情報コードと、前記配送依頼に関して前記配送先ユーザが有する第２情報コードと、を読み取り、前記第１情報コードに含まれる第１情報と前記第２情報コードに含まれる第２情報とを取得するステップと、
前記解錠条件の一つに対応する解放条件として前記第１情報と前記第２情報を含む第２取引情報を作成し、ブロックチェーンネットワークに送信するステップと、を実行する、
情報処理方法。
【請求項６】
情報処理端末に、
他の情報処理装置から回収依頼に関する情報を受信するステップと、
回収先ユーザから、回収者に、所定の仮想資産を移動させる第１取引情報であって、一又は複数の解錠条件が指定された前記第１取引情報を、ブロックチェーンネットワークから受信するステップと、
前記回収依頼に関して前記回収先ユーザが有する情報コードを読み取り、前記情報コードに含まれる情報を取得するステップと、
前記解錠条件の一つに対応する解放条件として前記情報を含む第２取引情報を作成し、ブロックチェーンネットワークに送信するステップと、を実行させる、
プログラム。
【請求項７】
回収依頼に関する情報を他の情報処理装置から受信し、回収先ユーザから、回収者に、所定の仮想資産を移動させる第１取引情報であって、一又は複数の解錠条件が指定された前記第１取引情報をブロックチェーンネットワークから受信する受信部と、
前記回収依頼に応じて回収先ユーザに与えられた情報コードを読み取り、前記情報コードに含まれる情報を取得する光学的検知部と、
前記解錠条件の一つに対応する解放条件として前記情報を含む第２取引情報を作成する取引情報作成部と、
前記第２取引情報をブロックチェーンネットワークに送信する送信部と、を有する、
情報処理端末。
【請求項８】
情報処理装置が、
他の情報処理装置から回収依頼に関する情報を受信するステップと、
回収先ユーザから、回収者に、所定の仮想資産を移動させる第１取引情報であって、一又は複数の解錠条件が指定された前記第１取引情報を、ブロックチェーンネットワークから受信するステップと、
前記回収依頼に関して前記回収先ユーザが有する情報コードを読み取り、前記情報コードに含まれる情報を取得するステップと、
前記解錠条件の一つに対応する解放条件として前記情報を含む第２取引情報を作成し、ブロックチェーンネットワークに送信するステップと、を実行する、
情報処理方法。
【発明の詳細な説明】
【技術分野】
【０００１】
本開示は、プログラム、情報処理装置、及び情報処理方法に関する。
【背景技術】
【０００２】
近年、インターネットや通信回線を利用した個人間の商品取引が行われている。例えば、販売者は所定の取引プラットフォームに物品を登録して出品を行い、購入者もまた、所定の取引プラットフォームに出品されている物品に対して購入申請を行う。その後、販売者と購入者の２者間で連絡を取り合い、金銭の支払い、物品の送受を行うことが一般的に行われている。例えば、特許文献１には指定した位置で指定した受取人によって商品が受け取られた場合に、代金の支払が行われるようにするためのシステムが開示されている。
【先行技術文献】
【特許文献】
【０００３】
【特許文献１】特開2018-036766号公報
【発明の概要】
【発明が解決しようとする課題】
【０００４】
これまでの物品の送受は、広範囲の地域での運送を業務としている配送業者による受け渡しに委ねられているのが一般的であったが、近年は、新たな配送の業態として、個人に対して配送の依頼をすることも検討されている。このように、個人に配送を依頼することにより、購入者や販売者に対しては新たな配送方法の選択肢を提供することができ、配送を担当する個人に対しては新たな収入方法を提供することができる。また、このような個人配送は、配送業界の人手不足を解決する一つの手段ともなりうる。
【０００５】
一方で、配送業者による配送では、配送料の支払いをしたにもかかわらず配送業者が集荷に来ないことや、配送業者が集荷した物品を配送先に届けずに持ち逃げをするというようなことは、考えられない。しかしながら、個人へ配送依頼をする場合は、必ずしもこのような信頼性が保証されるとは言えない。そのため、個人に対して配送の依頼をするような場合には、配送の信頼性を高める方法が望まれている。
【０００６】
そこで、本開示は、かかる事情に鑑みてなされたものであり、信頼性の高い配送方法を実現するためのプログラム、情報処理装置、及び情報処理方法を提供することを目的とする。
【課題を解決するための手段】
【０００７】
本開示の他の実施形態に係るプログラムは、情報処理端末に、他の情報処理装置から配送依頼に関する情報を受信するステップと、配送元ユーザ及び／又は配送先ユーザから、配送者ユーザに、所定の仮想資産を送金する第１取引情報であって、一又は複数の解錠条件が指定された前記第１取引情報を、ブロックチェーンネットワークから受信するステップと、前記配送依頼に関して前記配送元ユーザが有する第１情報コードと、前記配送依頼に関して前記配送先ユーザが有する第２情報コードと、を読み取り、前記第１情報コードに含まれる第１情報と前記第２情報コードに含まれる第２情報とを取得するステップと、前記解錠条件の一つに対応する解放条件として前記第１情報と前記第２情報を含む第２取引情報を作成し、ブロックチェーンネットワークに送信するステップと、を実行させる。
【図面の簡単な説明】
【０００８】
【図１】図１は、実施形態の一態様に係る取引システム１の構成を示す。
【図２】図２は、本開示に係る情報処理装置のハードウェア構成の一例を示す。
【図３】図３は、第１実施形態に係るサーバ１１０の機能的な構成を示すブロック図の一例を示す。
【図４】図４は、配送依頼ＤＢ３３２が記憶するデータ構造の一例を示す。
【図５】図５は、第１実施形態に係る配送者端末１２０Ａの機能的な構成を示すブロック図の一例を示す。
【図６】図６は、受任案件ＤＢ５２２が記憶するデータ構造の一例を示す。
【図７】図７は、第１実施形態に係る販売者端末１２０Ｂ及び購入者端末１２０Ｃの機能的な構成を示すブロック図の一例を示す。
【図８】図８は、販売者端末１２０Ｂの配送依頼ＤＢ７３２が記憶するデータ構造の一例を示す。
【図９】図９は、購入者端末１２０Ｃの配送依頼ＤＢ７３２が記憶するデータ構造の一例を示す。
【図１０】図１０は、第１実施形態における取引システム１が行う処理を示すシーケンス図の一例を示す。
【図１１】図１１は、第２実施形態に係るサーバ１１０の機能的な構成を示すブロック図の一例を示す。
【図１２】図１２は、配送依頼ＤＢ１１２２が記憶するデータ構造の一例を示す。
【図１３】図１３は、第２実施形態に係る配送者端末１２０Ａの機能的な構成を示すブロック図の一例を示す。
【図１４】図１４は、配送依頼ＤＢ１３２２が記憶するデータ構造の一例を示す。
【図１５】図１５は、第２実施形態に係る販売者端末１２０Ｂの機能的な構成を示すブロック図の一例を示す。
【図１６】図１６は、配送依頼ＤＢ１５２２が記憶するデータ構造の一例を示す。
【図１７】図１７は、第２実施形態における取引システム１が行う処理を示すシーケンス図の一例を示す。
【図１８】図１８は、第２実施形態に係る配送者端末１２０Ａの機能的な構成を示すブロック図の一例を示す。
【図１９】図１９は、第２実施形態に係る販売者端末１２０Ｂ及び購入者端末１２０Ｃの機能的な構成を示すブロック図の一例を示す。
【図２０】図２０は、第２実施形態における取引情報の構造を模式的に表した図を示す。
【図２１】図２１は、第２実施形態における取引システム１が行う処理を示すシーケンス図の一例を示す。
【図２２】図２２は、第２実施形態の変形例における取引情報の構造を模式的に表した図を示す。
【図２３】図２３は、第２実施形態の変形例における取引システム１が行う処理を示すシーケンス図の一例を示す。
【発明を実施するための形態】
【０００９】
＜法令遵守＞
本明細書に記載の開示は、実施される場合、本開示を実施する各国の法令を遵守のうえで実施される。また、本明細書に記載の開示は、各国の法令を遵守するために必要な、当業者が成し得る全ての変更、置換、変形、改変、および修正をもって実施される。
【００１０】
本開示に係るプログラム、情報処理装置、及び情報処理方法を実施するための形態について、図面を参照して説明する。
【００１１】
＜システム構成＞
図１は、本開示の一実施形態に係る情報処理方法を有効に実施するための取引システム１の構成を示す。図１に開示されるように、取引システム１では、ネットワーク１３０を介してサーバ１１０Ａ，サーバ１１０Ｂと、端末１２０Ａ、端末１２０Ｂ、端末１２０Ｃが接続される。サーバ１１０Ａ，サーバ１１０Ｂと、端末１２０Ａ，端末１２０Ｂ，端末１２０Ｃは、分散型台帳（以下「ブロックチェーン」ともいう。）を構成していてもよい。本開示では、ブロックチェーンは、中央管理者のいないパブリック型の構成として説明するが、これに限定されずプライベート型や、コンソーシアム型でもよい。
【００１２】
本開示において、サーバ１１０Ａと、サーバ１１０Ｂとをそれぞれ区別する必要がない場合は、サーバ１１０Ａとサーバ１１０Ｂとは、それぞれサーバ１１０と表現されてもよい。
【００１３】
本開示において、端末１２０Ａと、端末１２０Ｂと、端末１２０Ｃとをそれぞれ区別する必要がない場合は、端末１２０Ａと端末１２０Ｂと端末１２０Ｃとは、それぞれ端末１２０と表現されてもよい。
【００１４】
本開示において、サーバ１１０と、端末１２０とをそれぞれ区別する必要がない場合は、サーバ１１０と端末１２０とは、それぞれ情報処理装置２００と表現されてもよい。なお、ネットワーク１３０に接続される情報処理装置２００の数は限定されない。
【００１５】
サーバ１１０は、ネットワーク１３０を介してユーザが利用する端末１２０に、所定のサービスを提供する。所定のサービスは、限定でなく例として、決済サービス、金融サービス、電子商取引サービス、インスタントメッセンジャーを代表とするＳＮＳ（Social Networking Service）、楽曲・動画・書籍などのコンテンツ提供サービスなどを含む。ユーザが端末１２０を介して所定のサービスを利用することで、サーバ１１０は１以上の端末１２０に所定のサービスを提供することができる。
【００１６】
本開示において、決済サービスとは１以上のユーザが金銭または金銭相当物の授受ができるサービスを意味する。限定でなく例として、一次元コード（バーコードなど）、二次元コード（ＱＲコード（登録商標）など）（以下で、一次元コードおよび二次元コードをまとめて「二次元コード等」と総称する。）、近距離無線通信（ＮＦＣ (Near Field Communication)、ＢＬＥ（Bluetooth（登録商標） Low Energy）、Wi-Fi（登録商標）、超音波通信、赤外線通信など）を利用して決済を行うサービスを含む。また、代金の支払いを行うユーザ（支払者）の端末１２０が二次元コード等を読み取ることで決済を行うことを「ユーザ読取型コード決済」または「ＭＰＭ（Merchant Presented Mode）」と表現し、支払いを行うユーザの端末１２０が二次元コード等を表示し、表示された二次元コード等を、代金を請求する店舗側等のユーザ（販売者、請求者）の端末１２０が読み取ることで決済を行うことを「店舗読取型コード決済」または「ＣＰＭ（Consumer Presented Mode）」と表現する。なお、ＭＰＭおよびＣＰＭは、動的であってもよいし、静的であってもよい。
【００１７】
必要に応じて、ユーザＸが利用する端末を端末１２０Ｘと表現し、ユーザＸまたは端末１２０Ｘに対応づけられた、所定のサービスにおけるユーザ情報をユーザ情報Ｘと表現する。なお、ユーザ情報とは、所定のサービスにおいてユーザが利用するアカウントに対応付けられたユーザの情報である。ユーザ情報は、限定でなく例として、ユーザにより入力される、または、所定のサービスにより付与される、ユーザの名前、ユーザのアイコン画像、ユーザの年齢、ユーザの性別、ユーザの住所、ユーザの趣味趣向、ユーザの識別子などのユーザに対応づけられた情報、ユーザに対応付けられた電子バリュー（電子マネー）の残高情報、ユーザに対応付けられたクレジットカード情報（クレジットカード番号など）を含み、これらのいずれか一つまたは、組み合わせであってもよい。
【００１８】
ネットワーク１３０は、２以上の情報処理装置２００を接続する役割を担う。ネットワーク１３０は、端末１２０がサーバ１１０に接続した後、データを送受信することができるように接続経路を提供する通信網を意味する。
【００１９】
ネットワーク１３０のうちの１つまたは複数の部分は、有線ネットワークや無線ネットワークであってもよい。ネットワーク１３０は、限定でなく例として、アドホック・ネットワーク（Ad Hoc Network）、イントラネット、エクストラネット、仮想プライベート・ネットワーク（Virtual Private Network：ＶＰＮ）、ローカル・エリア・ネットワーク（Local Area Network：ＬＡＮ）、ワイヤレスＬＡＮ（Wireless LAN：ＷＬＡＮ）、広域ネットワーク（Wide Area Network：ＷＡＮ）、ワイヤレスＷＡＮ（Wireless WAN：ＷＷＡＮ）、大都市圏ネットワーク（Metropolitan Area Network：ＭＡＮ）、インターネットの一部、公衆交換電話網（Public Switched Telephone Network：ＰＳＴＮ）の一部、携帯電話網、ＩＳＤＮｓ（Integrated Service Digital Networks）、無線ＬＡＮｓ、ＬＴＥ（Long Term Evolution）、ＣＤＭＡ（Code Division Multiple Access）、ブルートゥース（Bluetooth（登録商標））、衛星通信など、または、これらの２つ以上の組合せを含むことができる。ネットワーク１３０は、１つまたは複数のネットワーク１３０を含むことができる。
【００２０】
情報処理装置２００は、本開示に記載される機能、および／または、方法を実現できる情報処理装置であればどのような情報処理装置であってもよい。
【００２１】
情報処理装置２００は、限定ではなく例として、スマートフォン、携帯電話（フィーチャーフォン）、コンピュータ（限定でなく例として、デスクトップ、ラップトップ、タブレットなど）、サーバ装置、メディアコンピュータプラットホーム（限定でなく例として、ケーブル、衛星セットトップボックス、デジタルビデオレコーダなど）、ハンドヘルドコンピュータデバイス（限定でなく例として、ＰＤＡ（Personal Digital Assistant）、電子メールクライアントなど）、ウェアラブル端末（限定でなく例として、メガネ型デバイス、時計型デバイスなど）、他種のコンピュータ、またはコミュニケーションプラットホームを含む。
【００２２】
＜ハードウェア（ＨＷ）構成＞
図２を用いて、取引システム１に含まれる情報処理装置２００のＨＷ構成について説明する。
【００２３】
情報処理装置２００は、プロセッサ２０１と、メモリ２０２と、ストレージ２０３と、入出力インタフェース（入出力Ｉ／Ｆ）２０４と、通信インタフェース（通信Ｉ／Ｆ）２０５とを含む。情報処理装置２００のＨＷの各構成要素は、限定でなく例として、バスＢを介して相互に接続される。
【００２４】
情報処理装置２００は、プロセッサ２０１と、メモリ２０２と、ストレージ２０３と、入出力Ｉ／Ｆ２０４と、通信Ｉ／Ｆ２０５との協働により、本開示に記載される機能、および／または、方法を実現する。
【００２５】
プロセッサ２０１は、ストレージ２０３に記憶されるプログラムに含まれるコードまたは命令によって実現する機能、および／または、方法を実行する。プロセッサ２０１は、限定でなく例として、中央処理装置（ＣＰＵ）、ＭＰＵ（Micro Processing Unit）、ＧＰＵ（Graphic s Processing Unit）、マイクロプロセッサ（microprocessor）、プロセッサコア（processor core）、マルチプロセッサ（multiprocessor）、ＡＳＩＣ（Application-Specific Integrated Circuit）、ＦＰＧＡ（Field Programmable Gate Array）等を含み、集積回路（ＩＣ（Integrated Circuit）チップ、ＬＳＩ（Large Scale Integration））等に形成された論理回路（ハードウェア）や専用回路によって各実施形態に開示される各処理を実現してもよい。また、これらの回路は、１または複数の集積回路により実現されてよく、各実施形態に示す複数の処理を１つの集積回路により実現されることとしてもよい。また、ＬＳＩは、集積度の違いにより、ＶＬＳＩ、スーパーＬＳＩ、ウルトラＬＳＩなどと呼称されることもある。
【００２６】
メモリ２０２は、ストレージ２０３からロードしたプログラムを一時的に記憶し、プロセッサ２０１に対して作業領域を提供する。メモリ２０２には、プロセッサ２０１がプログラムを実行している間に生成される各種データも一時的に格納される。メモリ２０２は、限定でなく例として、ＲＡＭ（Random Access Memory）、ＲＯＭ（Read Only Memory）などを含む。
【００２７】
ストレージ２０３は、プログラムを記憶する。ストレージ２０３は、限定でなく例として、ＨＤＤ（Hard Disk Drive）、ＳＳＤ（Solid State Drive）、フラッシュメモリなどを含む。
【００２８】
通信Ｉ／Ｆ２０５は、ネットワーク１３０を介して各種データの送受信を行う。当該通信は、有線、無線のいずれで実行されてもよく、互いの通信が実行できるのであれば、どのような通信プロトコルを用いてもよい。通信Ｉ／Ｆ２０５は、ネットワーク１３０を介して、他の情報処理装置との通信を実行する機能を有する。通信Ｉ／Ｆ２０５は、各種データをプロセッサ２０１からの指示に従って、他の情報処理装置に送信する。また、通信Ｉ／Ｆ２０５は、他の情報処理装置から送信された各種データを受信し、プロセッサ２０１に伝達する。
【００２９】
入出力Ｉ／Ｆ２０４は、情報処理装置２００に対する各種操作を入力する入力装置、および、情報処理装置２００で処理された処理結果を出力する出力装置を含む。入出力Ｉ／Ｆ２０４は、入力装置と出力装置が一体化していてもよいし、入力装置と出力装置とに分離していてもよい。
【００３０】
入力装置は、ユーザからの入力を受け付けて、当該入力に係る情報をプロセッサ２０１に伝達できる全ての種類の装置のいずれか、または、その組み合わせにより実現される。入力装置は、限定でなく例として、タッチパネル、タッチディスプレイ、キーボード等のハードウェアキーや、マウス等のポインティングデバイス、カメラ（画像を介した操作入力）、マイク（音声による操作入力）を含む。
【００３１】
出力装置は、プロセッサ２０１で処理された処理結果を出力することができる全ての種類の装置のいずれか、または、その組み合わせにより実現される。当該処理結果を映像、および／または、動画像として出力する場合、出力装置は、フレームバッファに書き込まれた表示データに従って、当該表示データを表示することができる全ての種類の装置のいずれかまたはその組み合わせにより実現される。出力装置は、限定でなく例として、タッチパネル、タッチディスプレイ、モニタ（限定でなく例として、液晶ディスプレイ、ＯＥＬＤ（Organic Electroluminescence Display）など）、ヘッドマウントディスプレイ（ＨＤＭ：Head Mounted Display）、プロジェクションマッピング、ホログラム、空気中など（真空であってもよい）に画像やテキスト情報等を表示可能な装置、スピーカ（音声出力）、プリンタなどを含む。なお、これらの出力装置は、３Ｄで表示データを表示可能であってもよい。
【００３２】
本開示の各実施形態のプログラムは、コンピュータに読み取り可能な記憶媒体に記憶された状態で提供されてもよい。 記憶媒体は、「一時的でない有形の媒体」に、プログラムを記憶可能である。プログラムは、限定でなく例として、ソフトウェアプログラムやコンピュータプログラムを含む。
【００３３】
記憶媒体は適切な場合、１つまたは複数の半導体ベースの、または他の集積回路（ＩＣ）（限定でなく例として、フィールド・プログラマブル・ゲート・アレイ（ＦＰＧＡ）、特定用途向けＩＣ（ＡＳＩＣ）など）、ハード・ディスク・ドライブ（ＨＤＤ）、ハイブリッド・ハード・ドライブ（ＨＨＤ）、光ディスク、光ディスクドライブ（ＯＤＤ）、光磁気ディスク、光磁気ドライブ、フロッピィ・ディスケット、フロッピィ・ディスク・ドライブ（ＦＤＤ）、磁気テープ、固体ドライブ（ＳＳＤ）、ＲＡＭドライブ、セキュア・デジタル・カードもしくはドライブ、任意の他の適切な記憶媒体、またはこれらの２つ以上の適切な組合せを含むことができる。記憶媒体は、適切な場合、揮発性、不揮発性、または揮発性と不揮発性の組合せでよい。
【００３４】
また、本開示のプログラムは、当該プログラムを伝送可能な任意の伝送媒体（通信ネットワークや放送波等）を介して、情報処理装置２００に提供されてもよい。
【００３５】
また、本開示の各実施形態は、プログラムが電子的な伝送によって具現化された、搬送波に埋め込まれたデータ信号の形態でも実現され得る。
【００３６】
なお、本開示のプログラムは、限定でなく例として、ＪａｖａＳｃｒｉｐｔ（登録商標）、Ｐｙｔｈｏｎなどのスクリプト言語、Ｃ言語、Ｇｏ言語、Ｓｗｉｆｔ、Ｋｏｔｌｉｎ、Ｊａｖａ（登録商標）などのプログラミング言語などを用いて実装される。
【００３７】
情報処理装置２００おける処理の少なくとも一部は、１以上のコンピュータにより構成されるクラウドコンピューティングにより実現されていてもよい。
【００３８】
情報処理装置２００における処理の少なくとも一部を、他の情報処理装置により行う構成としてもよい。この場合、プロセッサ２０１により実現される各機能部の処理のうち少なくとも一部の処理を、他の情報処理装置で行う構成としてもよい。
【００３９】
＜その他＞
明示的な言及のない限り、本開示の実施形態における判定の構成は必須でなく、判定条件を満たした場合に所定の処理が動作されたり、判定条件を満たさない場合に所定の処理がされたりしてもよい。
【００４０】
本開示では、明記されない限り、または文脈によって示されない限り、「または」は排他的ではなく包含的な意味である。したがって、本開示では、明記されていない限り、または文脈によって示されない限り、「ＡまたはＢ」は「Ａ、Ｂ、またはその両方」を意味する。さらに、「AおよびBの少なくとも一方」は、「A、B、またはその両方」を意味する。さらに、明記されない限り、または文脈によって示されない限り、「a」、「an」、または「the」は「１つまたは複数」を意味するものとする。したがって、本明細書では、別段に明記されない限り、または文脈によって示されない限り、「an A」または「the A」は「１つまたは複数のＡ」を意味する。
【００４１】
本開示は、本開示の実施形態、および／または、実施例に対して、当業者が成し得る全ての変更、置換、変形、改変、および修正を包含する。同様に、適切な場合、添付の特許請求の範囲は、本開示の実施形態、および／または、実施例に対して、当業者が成し得る全ての変更、置換、変形、改変、および修正を包含する。さらに、本開示は、当業者が成し得る、本開示における実施形態、および／または、実施例の１つまたは複数の特徴と、本開示における他の実施形態、および／または、実施例の１つまたは複数の特徴との任意の組合せを包含する。
【００４２】
加えて、特定の機能を実施するように適合される、配置される、能力を有する、構成される、使用可能である、動作可能である、または動作できる装置またはシステムあるいは装置またはシステムの構成要素に対する添付の特許請求の範囲での参照は、その装置、システム、または構成要素がそのように適合される、配置される、能力を有する、構成される、使用可能にされる、動作可能にされる、または動作できる限り、その装置、システム、構成要素またはその特定の機能がアクティベートされ、オンにされ、またはロック解除されているか否かに関わらず、その装置、システム、構成要素を包含する。
【００４３】
本開示は、明示されない限り、いずれの実施形態または実施例を実施するに際して、事前に、または、実施の直前にユーザからの同意を取得してもよい。また、取得する同意は、包括的なものでもよく、都度取得するものでもよい。
【００４４】
以下、本開示の一例に係る実施形態について、図面を参照して説明する。ただし、以下に説明する実施形態は、あくまでも例示であり、以下に明示しない種々の変形や技術の適用を排除する意図ではない。すなわち、本開示の一例は、その趣旨を逸脱しない範囲で種々変形して実施することができる。また、以下の図面の記載において、同一または類似の部分には同一または類似の符号を付しており、図面は模式的なものであって、必ずしも実際の寸法や比率等とは一致しない。さらに、図面相互間においても互いの寸法の関係や比率が異なる部分が含まれていることがある。
【００４５】
＜第１実施形態＞
第１実施形態は、ユーザ間の取引システム１において、配送元ユーザ（販売者）に与えられた販売者コード（第１情報コード）に含まれる販売者キー（第１情報）と配送先ユーザ（購入者）に与えられた購入者コード（第２情報コード）に含まれる購入者キー（第２情報）とを取得した場合に、配送者に対して配送料の支払いを実行可能とする実施形態である。販売者コード、販売者キー、購入者コード及び購入者キーの詳細は後述する。
【００４６】
この第１実施形態にかかるプログラム、情報処理端末、及び情報処理方法では、配送依頼ごとに、所定の情報処理装置が配送元ユーザと配送先ユーザそれぞれに情報コードを与える。配送者は各情報コードに含まれる販売者キーと購入者キーを収集する。さらに配送者は、購入者キーと販売者キーとを含む配送料の支払い要求を生成し、所定の情報処理装置に送信する。なお、支払い要求は、販売者キーと購入者キー以外の情報（例えば配送者の識別子等）を含んでも良い。
【００４７】
取引システム１では、例えば、配送者の有する配送者端末１２０Ａと、配送元ユーザの有する販売者端末１２０Ｂと、配送先ユーザの有する購入者端末１２０Ｃと、情報コードを管理するサーバ１１０と、がネットワーク１３０を介して接続される。
【００４８】
以下、説明のために電子商取引プラットフォームを想定して、配送依頼を受けた個人が利用する端末を配送者端末１２０Ａ、配送元ユーザ（販売者）が利用する端末を販売者端末１２０Ｂ、配送先ユーザ（購入者）が利用する端末を購入者端末１２０Ｃとして説明する。但し、第１実施形態はこれに限定されるものではない。
【００４９】
＜第１実施形態の効果＞
かかる第１実施形態によれば、配送料の支払い要求とともに、配送元（典型的には販売者）で取得された販売者キーと、配送先（典型的には購入者）で取得された購入者キーとを送信させることにより、配送依頼が適切に遂行されたか否かを確認し、配送料の支払いを実行する。すなわち配送者は配送元ユーザから物品を受け取り、配送先ユーザに物品を引き渡すことにより、販売者キーと購入者キーを取得しなければ、配送料を受け取ることができない。このように、配送が行われたことを確認した後に配送料の支払いが実行されるため、配送者が配送料を受け取って配送をしないような事態を回避し、信頼性の高い配送方法を実現することができる。また、配送者が配送対象である荷物を持ち逃げするような事態の発生も抑えることができ、この観点からも信頼性の高い配送方法を実現することができる。
【００５０】
＜第１実施形態の機能構成＞
図３〜９を用いてサーバ１１０、配送者端末１２０Ａ、販売者端末１２０Ｂ、及び購入者端末１２０Ｃの機能構成を説明する。図３、５、及び７に開示の各機能部は、情報処理装置２００が備えるプロセッサ２０１と、メモリ２０２と、ストレージ２０３と、入出力Ｉ／Ｆ２０４と、通信Ｉ／Ｆ２０５との協働により実現される。
【００５１】
（１）サーバ１１０の機能構成
図３は、第１実施形態に係るサーバ１１０の機能的な構成を示すブロック図の一例を示す。サーバ１１０は、取引システム１において配送依頼に応じて情報コードの発行を行い、情報コードに含まれる情報の受信に応じて決済処理を行う情報処理端末の一例である。サーバ１１０は、入出力Ｉ／Ｆ３１１と、通信Ｉ／Ｆ３１２と、記憶部３２０と、制御部３３０とを有する。
【００５２】
入出力Ｉ／Ｆ３１１は、例えば、入出力Ｉ／Ｆ２０４を用いて実現され得る。また、通信Ｉ／Ｆ３１２は、例えば、通信Ｉ／Ｆ２０５を用いて実現され得る。記憶部３２０は、例えば、メモリ２０２及び／又はストレージ２０３を用いて実現され得る。制御部３３０は、例えば、プロセッサ２０１が、記憶部３２０に格納されているプログラムを読みだして実行することで実現され得る。
【００５３】
また、記憶部３２０は、本実施形態にかかるサーバ１１０が実行するプログラム３２１と、受信した配送依頼に関する情報を管理する配送依頼ＤＢ３３２と、を格納する。
【００５４】
このプログラム３２１は、例えば、配送依頼に応じて情報コードの発行を行い、情報コードに含まれる情報の受信に応じて決済処理を行うためのプログラムである。なお、このプログラム３２１は、コンピュータに読み取り可能な記録媒体に記録されてもよく、この記録媒体からコンピュータにインストールされてもよい。
【００５５】
配送依頼ＤＢ３３２には、販売者端末１２０Ｂ及び／又は購入者端末１２０Ｃから受信した配送依頼に関する情報が管理される。配送依頼に関する情報としては、例えば、配送依頼ごとに割り振られたＩＤ、配送元のユーザ（販売者）に付与される販売者コード、販売者コードに含まれる販売者キー、配送先のユーザ（購入者）に付与される購入者コード、購入者コードに含まれる購入者キーが挙げられる。また、配送依頼のＩＤに対応付けて、配送元及び／又は配送先に関する情報（例えば住所や電話番号、氏名等である）が管理されていてもよい。
【００５６】
さらに、販売者コードが販売者キーを暗号化した第１暗号情報を含み、購入者コードが購入者キーを暗号化した第２暗号情報を含む場合には、その暗号化に用いた暗号鍵と暗号情報を復号する復号鍵が、配送依頼のＩＤに対応付けて管理されていてもよい。
【００５７】
図４に、配送依頼ＤＢ３３２が記憶する配送依頼に関する情報のデータ構造の一部を模式的に示す。
【００５８】
「配送依頼ＩＤ」には、サーバ１１０がその配送情報を一意に識別するための識別情報が格納される。サーバ１１０の受信部が販売者端末１２０Ｂ及び／又は購入者端末１２０Ｃから配送依頼を受信したときに、サーバ１１０の配送依頼管理部３３１は、その配送依頼に対してＩＤを付し、配送依頼ＤＢ３３２に記憶するよう指示することができる。
【００５９】
「販売者コード」及び「購入者コード」には、例えば、販売者キー及び購入者キーをバーコードやＱＲコードなどの２次元コードに変換したものが格納される。ここで、２次元コードとは、光学的検知装置が、照射した光の反射を所定の方式に基づいて電気信号に変換でき、その電気信号を対応するコンピュータコードに変換可能なものをいう。
【００６０】
また、販売者コード及び購入者コードは、バーコードやＱＲコードなどの２次元コードに限られるものではなく、端末同士の情報のやり取りに適した態様のものを用いることができる。例えば、赤外線通信や、Ｂｌｕｅｔｏｏｔｈ（登録商標）などの無線通信に適した形態のものを使用してもよい。
【００６１】
「販売者キー」は、販売者コードを読み取ることにより配送者が配送元ユーザから取得する情報である。配送者は、販売者キーを示すことにより、配送元ユーザから荷物を受け取ったことを示すことができる。また、「購入者キー」には、購入者コードを読み取ることにより配送者が配送先ユーザから取得する情報である。配送者は、購入者キーを示すことにより、配送先ユーザに荷物を届けたことを示すことができる。
【００６２】
なお、販売者キー及び購入者キーとしては、例えば、ランダムな英数字や記号による列が挙げられる。また、本開示において情報コードに含まれる各情報についても、同様に、ランダムな英数字や記号による列を用いることができる。
【００６３】
なお、販売者キー等から販売者コード等への変換方式があらかじめ決まっている場合には、配送依頼ＤＢ３３２は、販売者コード及び購入者コードを格納せず、販売者キー及び購入者キーのみを格納する態様としてもよい。
【００６４】
このような態様の場合、例えば、サーバ１１０の送信部が販売者端末１２０Ｂ及び購入者端末１２０Ｃに販売者キー及び購入者キーをそのまま送信し、販売者端末１２０Ｂ及び購入者端末１２０Ｃの情報コード表示部７３２側で販売者コード及び購入者コードに変換することができる。また、サーバ１１０の送信部が販売者端末１２０Ｂ及び購入者端末１２０Ｃに販売者キー及び購入者キーを送信する際に、所定の方式に基づいて販売者コード及び購入者コードに変換してから送信することもできる。
【００６５】
販売者コード及び購入者コードには、それぞれ有効期限が設定されてもよい。ここで有効期限とは、例えば、配送料の支払い要求を受け付ける期限とすることができる。より具体的には、有効期限を超えて販売者コード及び購入者コードを読み取り、販売者キー及び購入者キーがサーバ１１０に対して送信された場合には、配送料の支払い要求を実行しないようにすることができる。
【００６６】
これにより、配送者に対して、配送を完了するまでの時間的制限を課すことができ、配送の信頼性をより向上することができる。
【００６７】
「暗号鍵」及び「復号鍵」には、販売者キー及び購入者キーを暗号化するための情報と、復号化するための情報が格納される。「暗号鍵」及び「復号鍵」は、配送依頼ＩＤごとに個別に設定されることが好ましい。これにより、一つの復号鍵で複数の配送依頼ＩＤに紐づく第１暗号情報及び第２暗号情報が不正に復号化されることを回避することができる。なお、販売者キーと購入者キーとはそれぞれ異なる暗号鍵・復号鍵によって暗号化や復号化されてもよい。
【００６８】
次いで、図３に戻り、制御部３３０について説明する。制御部３３０は、配送依頼管理部３３１と、決済処理部３３２と、を有する。
【００６９】
通信Ｉ／Ｆ３１２は、販売者端末１２０Ｂ及び／又は購入者端末１２０Ｃから配送依頼を受信したり、配送者端末１２０Ａから配送料の支払い要求とともに販売者キー及び購入者キーを受信したりする受信部としての機能を有する。
【００７０】
また、通信Ｉ／Ｆ３１２は、配送者端末１２０Ａに配送依頼に関する情報や復号鍵を送信したり、販売者端末１２０Ｂに販売者コードを送信したり、購入者端末１２０Ｃに購入者コードを送信したりする送信部としての機能を有する。
【００７１】
これらの機能構成は、プロセッサ２０１が、記憶部３２０に格納されているプログラム３２１を読み出して実行することで実現される。また、サーバ１１０によって実現される機能構成は、実施形態や実施例に応じて、適宜、機能の省略、置換、及び追加が行われてもよい。
【００７２】
配送依頼管理部３３１は、配送依頼ＤＢ３２２の情報を管理する機能を有する。一例として、サーバ１１０の受信部が販売者端末１２０Ｂ及び／又は購入者端末１２０Ｃから配送依頼を受信した場合には、配送依頼管理部３３１は、その配送依頼を一意に識別するための配送依頼ＩＤを付し、その配送依頼に関する情報を配送依頼ＤＢ３２２に記憶させる。また、配送依頼管理部３３１は、配送依頼ＩＤごとに販売者キー及び購入者キーを設定し、必要に応じて、その暗号鍵及び復号鍵を設定し、配送依頼ＤＢ３２２に記憶させる。
【００７３】
この際、配送依頼管理部３３１は、配送元及び配送先等に関する配送情報や、配送者に関する情報についても、作成した配送依頼ＩＤに対応付けて記憶させることができる。
【００７４】
また、配送依頼管理部３３１は、配送依頼ＩＤごとに販売者キー及び購入者キーを設定した場合には、販売者端末１２０Ｂ及び購入者端末１２０Ｃに対してその情報を送信するよう、送信部に指示をする。
【００７５】
決済処理部３３２は、配送料の決済を実行するための各種の処理を行う。一例として、決済処理部３３２は、配送依頼とともに配送元ユーザ及び／又は配送先ユーザから、配送料を預金する預金要求を受け付け、受け付けた預金要求に基づいて預金処理を実行する。そして、配送者から販売者キー及び購入者キーとともに配送料の支払い要求を受信した場合には、預金された配送料を配送者に支払う決済処理を実行する。
【００７６】
（２）配送者端末１２０Ａの機能構成
図５は、第１実施形態に係る配送者端末１２０Ａの機能的な構成を示すブロック図の一例を示す。配送者端末１２０Ａは、取引システム１において配送者が使用する情報処理端末の一例である。配送者端末１２０Ａは、入出力Ｉ／Ｆ５１１と、通信Ｉ／Ｆ５１２と、記憶部５２０と、制御部５３０とを有する。
【００７７】
入出力Ｉ／Ｆ５１１は、例えば、入出力Ｉ／Ｆ２０４を用いて実現され得る。また、通信Ｉ／Ｆ５１２は、例えば、通信Ｉ／Ｆ２０５を用いて実現され得る。記憶部５２０は、例えば、メモリ２０２及び／又はストレージ２０３を用いて実現され得る。制御部５３０は、例えば、プロセッサ２０１が、記憶部５２０に格納されているプログラムを読みだして実行することで実現され得る。
【００７８】
入出力Ｉ／Ｆ５２１は、所定の画面を表示し、また、配送者端末１２０Ａの画面に表示されたボタンや、配送者端末１２０Ａのタッチパネルなどを用いてユーザ操作を受け付けて、操作に関する情報を制御部５３０に出力する。
【００７９】
配送者端末１２０Ａの通信Ｉ／Ｆ５１２は、サーバ１１０から配送依頼に関する情報や復号鍵を受信する受信部としての機能を有する。また、配送者端末１２０Ａの通信Ｉ／Ｆ５１２は、配送料の支払い要求とともに、販売者キー及び購入者キーをサーバ１１０に送信する送信部としての機能を有する。
【００８０】
記憶部５２０は、配送者端末１２０Ａが実行するプログラム５２１と、サーバ１１０から受信した配送依頼に関する情報を管理する受任案件ＤＢ５２２と、を格納する。
【００８１】
このプログラム５２１は、例えば、配送元ユーザ及び配送先ユーザから販売者キー及び購入者キーを取得し、取得した販売者キー及び購入者キーに基づいて配送料の支払い要求をサーバ１１０に送信するためのプログラムである。
【００８２】
受任案件ＤＢ５２２には、サーバ１１０から受信した配送依頼に関する情報が管理される。配送依頼に関する情報としては、配送元に関する情報、配送先に関する情報が挙げられる。また、配送者端末１２０Ａの光学的検知部５３２が配送元ユーザ及び配送先ユーザに与えられた販売者コード及び購入者コードを読み取った場合には、それら情報コードに含まれる販売者キー及び購入者キーがレコードに随時追記される。
【００８３】
さらに、サーバ１１０から復号鍵を受信した場合には、受信した復号鍵が配送依頼に関する情報と対応付けられて管理されてもよい。販売者コードが販売者キーを暗号化した第１暗号情報を含み、購入者コードが購入者キーを暗号化した第２暗号情報を含む場合には、光学的検知部５３２はこの復号鍵を用いて第１暗号情報及び第２暗号情報を復号化することができる。
【００８４】
図６に、受任案件ＤＢ５２２が記憶する配送依頼に関する情報のデータ構造の一部を模式的に示す。
【００８５】
「配送依頼ＩＤ」には、配送者端末１２０Ａが配送依頼を一意に識別するための識別情報が格納される。受任案件ＤＢ５２２が記憶する配送依頼ＩＤは、サーバ１１０の配送依頼ＤＢ３３２が記憶する配送依頼ＩＤと同じものであってもよい。
【００８６】
「配送元」には、配送元ユーザの住所など荷物の集荷に必要な情報が格納される。また、「配送先」には、配送先ユーザの住所など荷物の配送に必要な情報が格納される。
【００８７】
「販売者キー」には、光学的検知部５３２が販売者コードを読み取ることにより取得する情報であって、配送者が配送元ユーザから荷物を受け取ったことを示す情報が格納される。また、「購入者キー」には、光学的検知部５３２が購入者コードを読み取ることにより取得する情報であって、配送者が配送先ユーザに荷物を届けたことを示す情報が管理される。
【００８８】
「復号鍵」には、販売者キー及び購入者キーを復号化するための情報が格納される。
【００８９】
次いで、図５に戻り、制御部５３０について説明する。制御部５３０は、配送依頼管理部５３１と、光学的検知部５３２と、を有する。
【００９０】
配送依頼管理部５３１は、受任案件ＤＢ５２２の情報を管理する機能を有する。一例として、配送者端末１２０Ａの受信部がサーバ１１０から配送依頼に関する情報を受信した場合には、配送依頼管理部５３１は、その配送依頼に関する情報を受任案件ＤＢ５２２に記憶させる。また、配送者端末１２０Ａの受信部が配送依頼とともに復号鍵を受信した場合には、配送依頼管理部５３１は、その配送依頼と対応付けて復号鍵を受任案件ＤＢ５２２に記憶させる。
【００９１】
さらに、配送依頼管理部５３１は、販売者キー及び購入者キーを取得した場合に、取得した販売者キー及び購入者キーに基づく支払い要求をサーバ１１０に対してその情報を送信するよう、送信部に指示をすることができる。
【００９２】
光学的検知部５３２は、販売者コード及び購入者コードを読み取り、販売者キー及び購入者キーを取得する機能を有する。一例として、販売者コードを読み取った光学的検知部５３２は、販売者コードに含まれる販売者キーを取得し、受任案件ＤＢ５２２に記憶させる。この際、販売者コードが販売者キーを暗号化した第１暗号情報を含む場合には、受任案件ＤＢ５２２に記憶した復号鍵を用いて第１暗号情報を復号化することにより販売者キーを取得することができる。
【００９３】
（３）販売者端末１２０Ｂ及び購入者端末１２０Ｃの機能構成
図７は、第１実施形態に係る販売者端末１２０Ｂ及び購入者端末１２０Ｃの機能的な構成を示すブロック図の一例を示す。販売者端末１２０Ｂは、取引システム１において配送元ユーザが使用する情報処理端末の一例であり、購入者端末１２０Ｃは、取引システム１において配送先ユーザが使用する情報処理端末の一例である。販売者端末１２０Ｂ及び購入者端末１２０Ｃは、入出力Ｉ／Ｆ７１１と、通信Ｉ／Ｆ７１２と、記憶部７２０と、制御部７３０とを有する。
【００９４】
入出力Ｉ／Ｆ７１１は、例えば、入出力Ｉ／Ｆ２０４を用いて実現され得る。また、通信Ｉ／Ｆ７１２は、例えば、通信Ｉ／Ｆ２０５を用いて実現され得る。記憶部７２０は、例えば、メモリ２０２及び／又はストレージ２０３を用いて実現され得る。制御部７３０は、例えば、プロセッサ２０１が、記憶部７２０に格納されているプログラムを読みだして実行することで実現され得る。
【００９５】
入出力Ｉ／Ｆ７２１は、所定の画面を表示し、また、販売者端末１２０Ｂ及び購入者端末１２０Ｃの画面に表示されたボタンや、販売者端末１２０Ｂ及び購入者端末１２０Ｃのタッチパネルなどを用いてユーザ操作を受け付けて、操作に関する情報を制御部７３０に出力する。
【００９６】
販売者端末１２０Ｂ及び購入者端末１２０Ｃの通信Ｉ／Ｆ７１２は、配送依頼をサーバ１１０に対して送信したり、配送料の預金要求を送信したりする送信部としての機能を有する。なお、配送依頼は、販売者端末１２０Ｂ及び購入者端末１２０Ｃのいずれが行ってもよいし、両方が行ってもよい。また、配送料の預金は、配送元ユーザのみが預金する態様、配送先ユーザのみが預金する態様、配送元ユーザと配送先ユーザの両方が預金する態様のいずれであってもよい。これら預金態様に応じて、販売者端末１２０Ｂ及び購入者端末１２０Ｃはサーバ１１０に配送料の預金要求をすることができる。
【００９７】
また、販売者端末１２０Ｂ及び購入者端末１２０Ｃの通信Ｉ／Ｆ７１２は、サーバ１１０から販売者コード又は購入者コードをそれぞれ受信する受信部としての機能を有する。なお、販売者端末１２０Ｂ及び購入者端末１２０Ｃの配送依頼管理部７３１が販売者キー又は購入者キーから販売者コード又は購入者コードを作成する機能を有する場合は、販売者端末１２０Ｂ及び購入者端末１２０Ｃの受信部は販売者コード又は購入者コードに代えて、販売者キー又は購入者キーを受信してもよい。以下、販売者端末１２０Ｂ及び購入者端末１２０Ｃがサーバ１１０から販売者コード又は購入者コードを受信する態様について記載するが、販売者コード又は購入者コードに代えて、販売者キー又は購入者キーを受信する態様であってもよい。
【００９８】
記憶部７２０は、販売者端末１２０Ｂ及び購入者端末１２０Ｃが実行するプログラム７２１と、サーバ１１０から受信した販売者コード又は購入者コードを管理する配送依頼ＤＢ７３２と、を格納する。
【００９９】
このプログラム７２１は、例えば、配送依頼と配送料の預金要求をし、配送依頼に応じた販売者コード又は購入者コードを受信するためのプログラムである。
【０１００】
配送依頼ＤＢ７３２には、サーバ１１０から受信した販売者コード又は購入者コードが管理される。また、販売者コード又は購入者コードに、サーバ１１０が設定した配送依頼ＩＤが対応付けて管理されてもよい。
【０１０１】
図８に、販売者端末１２０Ｂの配送依頼ＤＢ７３２が記憶する配送依頼に関する情報のデータ構造の一部を模式的に示し、図９に、購入者端末１２０Ｃの配送依頼ＤＢ７３２が記憶する配送依頼に関する情報のデータ構造の一部を模式的に示す。
【０１０２】
「配送依頼ＩＤ」には、販売者端末１２０Ｂ及び購入者端末１２０Ｃが配送情報を一意に識別するための識別情報が格納される。配送依頼ＤＢ７３２が記憶する配送依頼ＩＤは、サーバ１１０の配送依頼ＤＢ３３２が記憶する配送依頼ＩＤと同じものであってもよい。
【０１０３】
「販売者コード」及び「購入者コード」には、サーバ１１０から受信した販売者コード及び購入者コードが格納される。また、これに対応付けて、販売者コードに含まれる販売者キーや購入者コードに含まれる購入者キーが格納されてもよい。
【０１０４】
次いで、図７に戻り、制御部７３０について説明する。制御部７３０は、配送依頼管理部７３１と、情報コード表示部７３２と、を有する。
【０１０５】
販売者端末１２０Ｂ及び購入者端末１２０Ｃの配送依頼管理部７３１は、配送依頼ＤＢ７２２の情報を管理する機能を有する。一例として、販売者端末１２０Ｂ及び購入者端末１２０Ｃの受信部がサーバ１１０から販売者コード又は購入者コードを受信した場合には、配送依頼管理部７３１は、販売者コード又は購入者コードをそれぞれの端末の受任案件ＤＢ５２２に記憶させる。
【０１０６】
販売者端末１２０Ｂ及び購入者端末１２０Ｃの情報コード表示部７３２は、販売者コード又は購入者コードを販売者端末１２０Ｂ及び購入者端末１２０Ｃの画面に表示させる機能を有する。
【０１０７】
また、配送者端末１２０Ａの光学的検知部１３３２がより取り可能であれば、情報コードは端末の画面に表示される必要はない。例えば、販売者端末１２０Ｂ及び購入者端末１２０Ｃは、情報コード表示部７３２に代えて、販売者コード又は購入者コードを紙等に印刷する印刷部を有していてもよい。
【０１０８】
これにより、例えば、購入者コードを印刷した紙を配送先に備えられた宅配ボックスに貼り付けておくことで、配送者は配送先ユーザと直接対面できなかったとしても、荷物を宅配ボックスに保管するとともに購入者キーを取得することができる。
【０１０９】
＜第１実施形態の取引システム動作処理＞
図１０を参照し、第１実施形態に係るプログラムの処理について説明する。図１０は、第１実施形態における取引システム１が行う処理を示すシーケンス図の一例を示す。なお、以下で説明する処理手順は一例に過ぎず、各処理は、本開示の技術思想の範囲内において可能な限り変更されてよく、また、適宜、ステップの省略、置換、および追加が可能である。
【０１１０】
（情報コードを通知する処理）
図１０に示すステップＳ１００１において、販売者端末１２０Ｂの配送依頼管理部７３１は、ユーザ操作に応じて、配送依頼をサーバ１１０に対して送信するよう販売者端末１２０Ｂの送信部に指示をする。なお、これに限定されず、購入者端末１２０Ｃの配送依頼管理部７３１が、サーバ１１０に対して、配送依頼を送信することもできる。
【０１１１】
また、ステップＳ１００１において、販売者端末１２０Ｂの配送依頼管理部７３１は、ユーザ操作に応じて、サーバ１１０又はサーバ１１０が連携する外部システムに対して配送料を預金する処理を行うことができる。ここで、配送料としては、ユーザの有する電子マネー（又は電子バリュー）、銀行口座の貯金、電子商取引システムにおいて利用可能なポイントなどにより預金することができる。
【０１１２】
このように予め配送料を預金することにより、配送したにもかかわらず配送者に対して配送料が支払われないような事態を回避することができる。
【０１１３】
ステップＳ１００２において、サーバ１１０の配送依頼管理部３３１は、受信した配送依頼にＩＤを付して、サーバ１１０の配送依頼ＤＢ３２２に記憶する。
【０１１４】
ステップＳ１００３において、サーバ１１０の配送依頼管理部３３１は、記憶した配送依頼ＩＤに対して、販売者キー及び購入者キーを設定し、配送依頼ＤＢ３２２に記憶する。この際、販売者コード及び購入者コードには、それぞれ有効期限が設定されてもよい。
【０１１５】
この際に、ステップＳ１００４において、サーバ１１０の配送依頼管理部３３１は、必要に応じて、販売者キー及び購入者キーを暗号化及び復号化するための暗号鍵と復号鍵を設定し、配送依頼ＤＢ３２２に記憶してもよい。この場合、サーバ１１０の配送依頼管理部３３１は、販売者キー及び購入者キーを暗号鍵により暗号化した第１暗号情報及び第２暗号情報を配送依頼ＤＢ３２２に記憶してもよい。
【０１１６】
ステップＳ１００５〜Ｓ１００６において、サーバ１１０の配送依頼管理部３３１は、販売者端末１２０Ｂ（配送元ユーザ）及び購入者端末１２０Ｃ（配送先ユーザ）に対して、販売者キーを含む販売者コードと購入者キーを含む購入者コードをそれぞれ通知するようサーバ１１０の送信部に指示をする。
【０１１７】
また、ステップＳ１００４において暗号鍵と復号鍵を設定した場合には、ステップＳ１００５〜Ｓ１００６において、サーバ１１０の配送依頼管理部３３１は、販売者端末１２０Ｂ及び購入者端末１２０Ｃに対して、第１暗号情報を含む販売者コードと第２暗号情報を含む購入者コードをそれぞれ通知するようサーバ１１０の送信部に指示をしてもよい。
【０１１８】
ステップＳ１００７において、サーバ１１０の配送依頼管理部３３１は、配送者端末１２０Ａ（配送者）に対して、配送依頼に関する情報を通知するようサーバ１１０の送信部に指示をする。この際、ステップＳ１００４において暗号鍵と復号鍵を設定した場合には、ステップＳ１００７において、サーバ１１０の配送依頼管理部３３１は、配送者端末１２０Ａに対して復号鍵を通知するようサーバ１１０の送信部に指示をすることもできる。
【０１１９】
（販売者キー及び購入者キーを取得する処理）
ステップＳ１００８において、配送者が配送元ユーザのもとに荷物の受け取りに伺った際に、配送者端末１２０Ａの光学的検知部５３２は、配送元ユーザが販売者端末１２０Ｂの画面に表示させた販売者コードを読み取り、販売者キーを取得する。そして、配送者端末１２０Ａの光学的検知部５３２は、取得した販売者キーを配送者端末１２０Ａの受任案件ＤＢ５２２に記憶させる。
【０１２０】
この際、販売者コードに含まれる情報が第１暗号情報である場合には、光学的検知部５３２は受任案件ＤＢ５２２が記憶する復号鍵を用いて復号化することで販売者キーを取得することができる。なお、販売者コードは販売者端末１２０Bの画面に表示される構成に限定されず、シールとして荷物にはられていても良い。この場合、販売者はコンビニ等の所定の集荷場所にあらかじめ預けておくことができる。これにより、販売者の住所が配送者に知られることを防ぐことができる。この構成の場合には、配送元の情報として、配送者の住所ではなく集荷場所の住所が登録されることが好ましい。
【０１２１】
ステップＳ１００９において、配送者が配送先ユーザのもとに荷物の受け渡しに伺った際に、配送者端末１２０Ａの光学的検知部５３２は、配送先ユーザが購入者端末１２０Ｃの画面に表示させた購入者コードを読み取り、購入者キーを取得する。そして、配送者端末１２０Ａの光学的検知部５３２は、取得した購入者キーを配送者端末１２０Ａの受任案件ＤＢ５２２に記憶させる。
【０１２２】
この際、購入者コードに含まれる情報が第２暗号情報である場合には、光学的検知部５３２は受任案件ＤＢ５２２が記憶する復号鍵を用いて復号化することで購入者キーを取得することができる。なお、購入者コードは購入者端末１２０Cの画面に表示される構成に限定されず、シールとして宅配ボックス等に貼られていてもよい。この場合、購入者が不在であっても配送者は宅配ボックスに荷物を届けることで配送料を受け取ることができる。
【０１２３】
このように情報コードが暗号情報を含む場合には、復号鍵を有する配送者のみが販売者キー及び購入者キーを取得することができる。そのため、配送の信頼性をより向上することができる。より具体的には、復号鍵を有しない者が、手あたり次第に情報コードを読み取ることなどにより、不正に配送料を取得するような事態を抑制することができる。
【０１２４】
（配送料の支払い要求に関する処理）
ステップＳ１０１０において、配送者端末１２０Ａの配送依頼管理部５３１は、配送料の支払い要求とともに、取得した販売者キー及び購入者キーをサーバ１１０に対して送信するよう、配送者端末１２０Ａの送信部に指示する。
【０１２５】
ステップＳ１０１１において、サーバ１１０の決済処理部３３２は、受信した販売者キーと購入者キーを受任案件ＤＢ５２２に記憶した情報と照合する。そして、受信した販売者キー及び購入者キーが特定の配送依頼ＩＤに対応する販売者キー及び購入者キーであることが確認できた場合には、サーバ１１０の決済処理部３３２は、所定の配送料を、配送者端末１２０Ａを保有する配送者に支払う処理を行う。
【０１２６】
なお、ステップＳ１００１において配送料が預金されていない場合には、サーバ１１０の決済処理部３３２は、販売者端末１２０Ｂ及び／又は購入者端末１２０Ｃに対して、配送者に対して配送料の支払いをするよう要求する。
【０１２７】
これにより、配送者が配送元ユーザ及び配送先ユーザから所定の情報を取得した場合に、預金した配送料の支払いが実行される。そのため、配送を依頼する者（例えば配送元ユーザや配送先ユーザ）からすれば、例えば、配送者が配送料を受け取って配送をしないような事態や配送者が配送対象である荷物を持ち逃げするような事態の発生を抑制することができ、信頼性の高い配送方法を実現することができる。
【０１２８】
＜第１実施形態の変形例＞
第１実施形態の変形例は、物品の回収を目的とする取引システム１において、回収先ユーザに与えられた情報コードに含まれる暗号情報を取得し、その暗号情報を復号化できた場合に、回収者に対して回収料の支払いを実行可能とする実施形態である。
【０１２９】
この第１実施形態の変形例にかかるプログラム、情報処理端末、及び情報処理方法では、回収依頼ごとに、所定の情報処理装置が回収先ユーザに情報コードを与え、回収者に復号鍵を与える。そして、回収者は、回収先ユーザに与えられた情報コードに含まれる暗号情報を復号鍵により復号化して、所定の情報処理装置に送信する。
【０１３０】
この取引システム１では、例えば、回収者の有する回収者端末１２０Ａと、回収先ユーザの有する依頼者端末１２０Ｂと、情報コードを管理するサーバ１１０と、がネットワーク１３０を介して接続される。
【０１３１】
以下、説明のために粗大ごみ等の物品の回収を目的とする取引システムを想定して、回収依頼を受けた者が利用する端末を回収者端末１２０Ａ、回収先ユーザ（依頼者）が利用する端末を依頼者端末１２０Ｂとして説明する。但し、第１実施形態の変形例はこれに限定されるものではない。
【０１３２】
＜第１実施形態の変形例の効果＞
かかる第１実施形態の変形例によれば、回収料の支払い要求とともに復号情報を送信させることにより、回収依頼が適切に遂行されたか否かを確認し、回収料の支払いを実行する。そのため、例えば、回収者は復号鍵に対応する暗号情報を有する回収先ユーザから物品を回収することにより、暗号情報を取得しこれを復号しなければ、回収料を受け取ることができない。これにより、回収者が回収料を受け取って物品の回収をしないような事態や、回収者自身が受領した回収依頼と関係のない物品を回収し不当に回収料を得るような事態の発生を抑えることができ、信頼性の高い回収方法を実現することができる。
【０１３３】
＜第１実施形態の変形例の機能構成＞
図１１〜１６を用いてサーバ１１０、回収者端末１２０Ａ、及び依頼者端末１２０Ｂの機能構成を説明する。図１１、１３、及び１５に開示の各機能部は、情報処理装置２００が備えるプロセッサ２０１と、メモリ２０２と、ストレージ２０３と、入出力Ｉ／Ｆ２０４と、通信Ｉ／Ｆ２０５との協働により実現される。
【０１３４】
（１）サーバ１１０の機能構成
図１１は、第１実施形態の変形例に係るサーバ１１０の機能的な構成を示すブロック図の一例を示す。サーバ１１０は、取引システム１において回収依頼に応じて情報コードの発行を行い、情報コードに含まれる暗号情報を適切な復号鍵により復号化した復号情報を受信したことに応じて、決済処理を行う情報処理端末の一例である。サーバ１１０は、入出力Ｉ／Ｆ１１１１と、通信Ｉ／Ｆ１１１２と、記憶部１１２０と、制御部１１３０とを有する。
【０１３５】
入出力Ｉ／Ｆ１１１１は、例えば、入出力Ｉ／Ｆ２０４を用いて実現され得る。また、通信Ｉ／Ｆ１１１２は、例えば、通信Ｉ／Ｆ２０５を用いて実現され得る。記憶部１１２０は、例えば、メモリ２０２及び／又はストレージ２０３を用いて実現され得る。制御部１１３０は、例えば、プロセッサ２０１が、記憶部１１２０に格納されているプログラムを読みだして実行することで実現され得る。
【０１３６】
また、記憶部１１２０は、本実施形態にかかるサーバ１１０が実行するプログラム１１２１と、受信した回収依頼に関する情報を管理する回収依頼ＤＢ１１３２と、を格納する。
【０１３７】
このプログラム１１２１は、例えば、回収依頼に応じて情報コードの発行を行い、情報コードに含まれる暗号情報を適切な復号鍵により復号化した復号情報を受信したことに応じて、決済処理を行うためのプログラムである。なお、このプログラム１１２１は、コンピュータに読み取り可能な記録媒体に記録されてもよく、この記録媒体からコンピュータにインストールされてもよい。
【０１３８】
回収依頼ＤＢ１１３２には、依頼者端末１２０Ｂから受信した回収依頼に関する情報が管理される。回収依頼に関する情報としては、例えば、回収依頼ごとに割り振られたＩＤ、回収先に付与される情報コード、情報コードに含まれる暗号情報、暗号情報を復号化した複合情報、暗号鍵、及び復号鍵が挙げられる。また、回収依頼のＩＤに対応付けて、回収先に関する情報が管理されていてもよい。
【０１３９】
図１２に、回収依頼ＤＢ１１３２が記憶する回収依頼に関する情報のデータ構造の一部を模式的に示す。
【０１４０】
「回収依頼ＩＤ」には、サーバ１１０がその回収依頼を一意に識別するための識別情報が格納される。サーバ１１０の受信部が依頼者端末１２０Ｂから回収依頼を受信したときに、サーバ１１０の回収依頼管理部１１３１は、その回収依頼に対してＩＤを付し、回収依頼ＤＢ１１３２に記憶するよう指示することができる。
【０１４１】
「情報コード」には、例えば、暗号情報をバーコードやＱＲコードなどの２次元コードに変換したものが格納される。ここで、２次元コードとは、光学的検知装置が、照射した光の反射を所定の方式に基づいて電気信号に変換でき、その電気信号を対応するコンピュータコードに変換可能なものをいう。
【０１４２】
また、情報コードは、バーコードやＱＲコードなどの２次元コードに限られるものではなく、端末同士の情報のやり取りに適した態様のものを用いることができる。例えば、赤外線通信や、Ｂｌｕｅｔｏｏｔｈなどの無線通信に適したコードを使用してもよい。
【０１４３】
なお、暗号情報から情報コードへの変換方式があらかじめ決まっている場合には、回収依頼ＤＢ１１３２は、情報コードを格納せず、暗号情報のみを格納する態様としてもよい。
【０１４４】
このような態様の場合、例えば、サーバ１１０の送信部が依頼者端末１２０Ｂに暗号情報をそのまま送信し、依頼者端末１２０Ｂの情報コード表示部１５３２側で情報コードに変換することができる。また、サーバ１１０の送信部が依頼者端末１２０Ｂに暗号情報を送信する際に、所定の方式に基づいて情報コードに変換してから送信することもできる。
【０１４５】
「暗号情報」には、情報コードに含まれる情報であって、情報コードを読み取ることにより回収者が回収先ユーザから取得する情報が格納される。暗号情報は復号情報を暗号鍵で暗号化した情報である。
【０１４６】
なお、暗号情報は、複合情報と暗号鍵により作成できる情報であるため、回収依頼ＤＢ１１３２は、暗号情報を格納せず、複合情報と暗号鍵のみを格納する態様としてもよい。
【０１４７】
このような態様の場合、例えば、サーバ１１０の送信部が依頼者端末１２０Ｂに暗号情報を送信する際に、暗号鍵を用いて復号情報を暗号情報に変換し、さらに暗号情報を情報コードに変換してから送信することもできる。
【０１４８】
「復号情報」には、暗号情報を復号鍵により復号化することにより回収者が取得する情報であって、回収依頼に基づいて復号鍵を有する適切な回収者が、回収先ユーザから物品を回収したことを示す情報が格納される。
【０１４９】
「暗号鍵」には、復号情報を暗号化するための情報が格納され、「復号鍵」には、暗号情報を復号化するための情報が格納される。「暗号鍵」及び「復号鍵」は、回収依頼ＩＤごとに個別に設定されることが好ましい。これにより、一つの復号鍵で複数の回収依頼ＩＤに紐づく暗号情報が不正に復号化されることを回避することができる。
【０１５０】
次いで、図１１に戻り、制御部１１３０について説明する。制御部１１３０は、回収依頼管理部１１３１と、決済処理部１１３２と、を有する。
【０１５１】
通信Ｉ／Ｆ１１１２は、依頼者端末１２０Ｂから回収依頼を受信したり、回収者端末１２０Ａから回収料の支払い要求とともに復号情報を受信したりする受信部としての機能を有する。
【０１５２】
また、通信Ｉ／Ｆ１１１２は、依頼者端末１２０Ｂに情報コードを送信したり、回収者端末１２０Ａに回収依頼に関する情報や復号鍵を送信したりする送信部としての機能を有する。
【０１５３】
これらの機能構成は、プロセッサ２０１が、記憶部１１２０に格納されているプログラム１１２１を読み出して実行することで実現される。また、サーバ１１０によって実現される機能構成は、実施形態や実施例に応じて、適宜、機能の省略、置換、及び追加が行われてもよい。
【０１５４】
回収依頼管理部１１３１は、回収依頼ＤＢ１１２２の情報を管理する機能を有する。一例として、サーバ１１０の受信部が依頼者端末１２０Ｂから回収依頼を受信した場合には、回収依頼管理部１１３１は、その回収依頼を一意に識別するための回収依頼ＩＤを付し、その回収依頼に関する情報を回収依頼ＤＢ１１２２に記憶させる。また、回収依頼管理部１１３１は、回収依頼ＩＤごとに復号情報を設定し、暗号鍵及び復号鍵を設定し、回収依頼ＤＢ１１２２に記憶させる。
【０１５５】
この際、回収依頼管理部１１３１は、回収先等に関する回収情報や、回収者に関する情報についても、作成した回収依頼ＩＤに対応付けて記憶させることができる。
【０１５６】
また、回収依頼管理部１１３１は、回収依頼ＩＤに対応する復号情報を設定した場合には、依頼者端末１２０Ｂに対して復号情報を暗号鍵で暗号化した暗号情報を送信するよう、送信部に指示をすることができる。
【０１５７】
決済処理部１１３２は、回収料の決済を実行するための各種の処理を行う。一例として、決済処理部３３２は、回収依頼とともに回収先ユーザから、回収料を預金する預金要求を受け付け、受け付けた預金要求に基づいて預金処理を実行する。そして、回収者から復号情報とともに回収料の支払い要求を受信した場合には、預金された回収料を回収者に支払う決済処理を実行する。
【０１５８】
（２）回収者端末１２０Ａの機能構成
図１３は、第１実施形態の変形例に係る回収者端末１２０Ａの機能的な構成を示すブロック図の一例を示す。回収者端末１２０Ａは、取引システム１において回収者が使用する情報処理端末の一例である。回収者端末１２０Ａは、入出力Ｉ／Ｆ１３１１と、通信Ｉ／Ｆ１３１２と、記憶部１３２０と、制御部１３３０とを有する。
【０１５９】
入出力Ｉ／Ｆ１３１１は、例えば、入出力Ｉ／Ｆ２０４を用いて実現され得る。また、通信Ｉ／Ｆ１３１２は、例えば、通信Ｉ／Ｆ２０５を用いて実現され得る。記憶部１３２０は、例えば、メモリ２０２及び／又はストレージ２０３を用いて実現され得る。制御部１３３０は、例えば、プロセッサ２０１が、記憶部１３２０に格納されているプログラムを読みだして実行することで実現され得る。
【０１６０】
入出力Ｉ／Ｆ１３２１は、所定の画面を表示し、また、回収者端末１２０Ａの画面に表示されたボタンや、回収者端末１２０Ａのタッチパネルなどを用いてユーザ操作を受け付けて、操作に関する情報を制御部１３３０に出力する。
【０１６１】
回収者端末１２０Ａの通信Ｉ／Ｆ１３１２は、サーバ１１０から回収依頼に関する情報や復号鍵を受信する受信部としての機能を有する。また、回収者端末１２０Ａの通信Ｉ／Ｆ１３１２は、回収料の支払い要求とともに、復号情報をサーバ１１０に送信する送信部としての機能を有する。
【０１６２】
記憶部１３２０は、回収者端末１２０Ａが実行するプログラム１３２１と、サーバ１１０から受信した回収依頼に関する情報を管理する回収依頼ＤＢ１３３２と、を格納する。
【０１６３】
このプログラム１３２１は、例えば、回収先ユーザから暗号情報を取得し、復号鍵を用いて暗号情報から復号情報を取得し、回収料の支払い要求とともに取得した復号情報をサーバ１１０に送信するためのプログラムである。
【０１６４】
回収依頼ＤＢ１３３２には、サーバ１１０から受信した回収依頼に関する情報及び復号鍵が管理される。回収依頼に関する情報としては、回収依頼ＩＤや回収先に関する情報が挙げられる。また、回収者端末１２０Ａの光学的検知部５３２が回収先ユーザに与えられた情報コードを読み取った場合には、情報コードに含まれる暗号情報が記憶され、その暗号情報を復号鍵により復号化した復号情報も記憶される。
【０１６５】
図１４に、回収依頼ＤＢ１３３２が記憶する回収依頼に関する情報のデータ構造の一部を模式的に示す。
【０１６６】
「回収依頼ＩＤ」には、回収者端末１２０Ａが回収情報を一意に識別するための識別情報が格納される。回収依頼ＤＢ１３３２が記憶する回収依頼ＩＤは、サーバ１１０の回収依頼ＤＢ３３２が記憶する回収依頼ＩＤと同じものであってもよい。
【０１６７】
「回収先」には、回収先ユーザの住所など物品の回収に必要な情報が格納される。当該情報に従って、回収者は回収先に行き対象物品を回収する。
【０１６８】
「暗号情報」には、光学的検知部１３３２が情報コードを読み取ることにより取得する暗号情報が格納される。また、「復号情報」には、光学的検知部１３３２が回収依頼ＤＢ１３３２に記憶された復号鍵を用いて暗号情報を復号化して得た復号情報が格納される。
【０１６９】
「復号鍵」には、サーバ１１０から受信した復号鍵が格納される。
【０１７０】
次いで、図１３に戻り、制御部１３３０について説明する。制御部１３３０は、回収依頼管理部１３３１と、光学的検知部１３３２と、を有する。
【０１７１】
回収依頼管理部１３３１は、回収依頼ＤＢ１３２２の情報を管理する機能を有する。一例として、回収者端末１２０Ａの受信部がサーバ１１０から回収依頼に関する情報と復号鍵を受信した場合には、回収依頼管理部１３３１は、その回収依頼に関する情報と復号鍵を回収依頼ＤＢ５２２に記憶させる。
【０１７２】
光学的検知部１３３２は、情報コードから復号情報を作成し、作成した復号情報をサーバ１１０に対して送信するよう、送信部に指示をする機能を有する。一例として、光学的検知部５３２は依頼者端末１２０Ｂの画面に表示された情報コードを読み取ることにより、情報コードに含まれる暗号情報を取得する。そして、光学的検知部１３３２は、取得した暗号情報を回収依頼ＤＢ１３２２に記憶した復号鍵で復号化し、復号情報を取得する。光学的検知部１３３２は、取得した復号情報を、サーバ１１０に送信するよう送信部に指示をする。また、光学的検知部１３３２は、暗号情報及び復号情報を回収依頼管理部１３３１に記憶させることもできる。
【０１７３】
（３）依頼者端末１２０Ｂの機能構成
図１５は、第１実施形態に係る依頼者端末１２０Ｂの機能的な構成を示すブロック図の一例を示す。依頼者端末１２０Ｂは、取引システム１において回収依頼をするユーザ（回収先ユーザ）が使用する情報処理端末の一例である。依頼者端末１２０Ｂは、入出力Ｉ／Ｆ１５１１と、通信Ｉ／Ｆ１５１２と、記憶部１５２０と、制御部１５３０とを有する。
【０１７４】
入出力Ｉ／Ｆ１５１１は、例えば、入出力Ｉ／Ｆ２０４を用いて実現され得る。また、通信Ｉ／Ｆ１５１２は、例えば、通信Ｉ／Ｆ２０５を用いて実現され得る。記憶部１５２０は、例えば、メモリ２０２及び／又はストレージ２０３を用いて実現され得る。制御部１５３０は、例えば、プロセッサ２０１が、記憶部１５２０に格納されているプログラムを読みだして実行することで実現され得る。
【０１７５】
入出力Ｉ／Ｆ１５２１は、所定の画面を表示し、また、依頼者端末１２０Ｂの画面に表示されたボタンや、依頼者端末１２０Ｂのタッチパネルなどを用いてユーザ操作を受け付けて、操作に関する情報を制御部１５３０に出力する。
【０１７６】
依頼者端末１２０Ｂの通信Ｉ／Ｆ１５１２は、回収依頼をサーバ１１０に対して送信したり、回収料の預金要求を送信したりする送信部としての機能を有する。
【０１７７】
また、依頼者端末１２０Ｂの通信Ｉ／Ｆ１５１２は、サーバ１１０から情報コードを受信する受信部としての機能を有する。なお、依頼者端末１２０Ｂの回収依頼管理部１５３１が暗号情報から情報コードを作成する機能を有する場合は、依頼者端末１２０Ｂの受信部は情報コードに代えて、暗号情報を受信してもよい。以下、依頼者端末１２０Ｂがサーバ１１０から情報コードを受信する態様について記載するが、情報コードに代えて、暗号情報を受信する態様であってもよい。
【０１７８】
記憶部１５２０は、依頼者端末１２０Ｂが実行するプログラム１５２１と、サーバ１１０から受信した情報コードを管理する回収依頼ＤＢ１５３２と、を格納する。
【０１７９】
このプログラム１５２１は、例えば、回収依頼と回収料の預金要求をし、回収依頼に応じた情報コードを受信して、その情報コードを回収者端末１２０Ａに提示するためのプログラムである。
【０１８０】
回収依頼ＤＢ１５３２には、サーバ１１０から受信した情報コードが管理される。また、情報コードに、サーバ１１０が設定した回収依頼ＩＤが対応付けて管理されてもよい。図１６に、依頼者端末１２０Ｂの回収依頼ＤＢ１５３２が記憶する回収依頼に関する情報のデータ構造の一部を模式的に示す。
【０１８１】
「回収依頼ＩＤ」には、依頼者端末１２０Ｂが回収情報を一意に識別するための識別情報が格納される。回収依頼ＤＢ１５３２が記憶する回収依頼ＩＤは、サーバ１１０の回収依頼ＤＢ１１３２が記憶する回収依頼ＩＤと同じものであってもよい。
【０１８２】
「情報コード」には、サーバ１１０から受信した情報コードが格納される。また、これに対応付けて、情報コードに含まれる暗号情報が格納されてもよい。
【０１８３】
次いで、図１５に戻り、制御部１５３０について説明する。制御部１５３０は、回収依頼管理部１５３１と、情報コード表示部１５３２と、を有する。
【０１８４】
依頼者端末１２０Ｂの回収依頼管理部１５３１は、回収依頼ＤＢ１５２２の情報を管理する機能を有する。一例として、依頼者端末１２０Ｂの受信部がサーバ１１０から情報コードを受信した場合には、回収依頼管理部１５３１は、情報コードを回収依頼ＤＢ１５２２に記憶させる。
【０１８５】
依頼者端末１２０Ｂの情報コード表示部１５３２は、情報コードを依頼者端末１２０Ｂの画面に表示させる機能を有する。
【０１８６】
また、回収者端末１２０Ａの光学的検知部１３３２がより取り可能であれば、情報コードは端末の画面に表示される必要はない。例えば、依頼者端末１２０Ｂは、情報コード表示部１５３２に代えて、情報コードを紙等に印刷する印刷部を有していてもよい。
【０１８７】
これにより、例えば、情報コードを印刷した紙を回収先に備えられた宅配ボックスに貼り付けておくことで、回収者は回収先ユーザと直接対面できなかったとしても、荷物を宅配ボックスに保管するとともに情報キーを取得することができる。
【０１８８】
＜第１実施形態の変形例の取引システム動作処理＞
図１７を参照し、第１実施形態の変形例に係るプログラムの処理について説明する。図１７は、第１実施形態の変形例における取引システム１が行う処理を示すシーケンス図の一例を示す。なお、以下で説明する処理手順は一例に過ぎず、各処理は、本開示の技術思想の範囲内において可能な限り変更されてよく、また、適宜、ステップの省略、置換、および追加が可能である。
【０１８９】
（情報コードを通知する処理）
図１７に示すステップＳ１７０１において、依頼者端末１２０Ｂの回収依頼管理部１５３１は、ユーザ操作に応じて、回収依頼及び回収料の預金要求をサーバ１１０に対して送信するよう依頼者端末１２０Ｂの送信部に指示をする。
【０１９０】
ステップＳ１７０２において、サーバ１１０の回収依頼管理部１１３１は、受信した回収依頼にＩＤを付して、サーバ１１０の回収依頼ＤＢ１１２２に記憶する。記憶した回収依頼ＩＤに対して、復号情報を設定し（Ｓ１７０３）、暗号鍵と復号鍵を設定する（Ｓ１７０４）。
【０１９１】
ステップＳ１７０５において、サーバ１１０の回収依頼管理部１１３１は、暗号鍵を用いて復号情報を暗号化した暗号情報を作成し、依頼者端末１２０Ｂ（回収先ユーザ）に対して、暗号情報を含む情報コードを通知するようサーバ１１０の送信部に指示をする。
【０１９２】
ステップＳ１７０６において、サーバ１１０の回収依頼管理部１１３１は、回収者端末１２０Ａ（回収者）に対して、回収依頼に関する情報及び復号鍵を通知するようサーバ１１０の送信部に指示をする。
【０１９３】
（暗号情報を取得する処理）
ステップＳ１７０７において、回収者が回収先ユーザのもとに物品の回収に伺った際に、回収者端末１２０Ａの光学的検知部１３３２は、回収先ユーザが依頼者端末１２０Ｂの画面に表示させた情報コードを読み取り、暗号情報を取得する。そして、回収者端末１２０Ａの光学的検知部１３３２は、取得した暗号情報を回収者端末１２０Ａの回収依頼ＤＢ５２２に記憶させる。
【０１９４】
ステップＳ１７０８において、光学的検知部５３２は回収依頼ＤＢ５２２が記憶する復号鍵を用いて暗号情報を復号化し、復号情報を作成する。
【０１９５】
（回収料の支払い要求に関する処理）
ステップＳ１７９において、回収者端末１２０Ａの回収依頼管理部５３１は、回収料の支払い要求とともに、取得した復号情報をサーバ１１０に対して送信するよう、回収者端末１２０Ａの送信部に指示する。
【０１９６】
ステップＳ１７１０において、回収料の支払い要求に応じて、サーバ１１０の決済処理部３３２は、預金された回収料を、回収者端末１２０Ａを保有するユーザに支払う処理を行う。
【０１９７】
これにより、予め回収料を預金しておき、回収先ユーザの有する暗号情報を回収者の有する復号鍵で復号化できた場合に、預金した回収料の支払いが実行可能となる。そのため、回収を依頼する者からすれば、例えば、回収者が回収料を受け取って回収をしないような事態や、回収者が回収依頼と関係ない物品を回収して回収料を得るような事態の発生を抑えることができ、信頼性の高い回収方法を実現することができる。また、回収者からすれば、預金された回収料を受け取るため、回収したにもかかわらず回収料が支払われないような事態を回避することができる。
【０１９８】
＜第２実施形態＞
第２実施形態は、配送者に対する配送料の支払いを、仮想資産の取引情報（第２取引情報）により実行する例である。この変形例において、第１実施形態の販売者キー及び購入者キーは、第２取引情報に対して電子署名をするための販売者キー及び購入者キーとして用いる。
【０１９９】
第２実施形態にかかるプログラム、情報処理端末、及び情報処理方法では、配送者は配送元ユーザと配送先ユーザから販売者キーと購入者キーを収集して、それらを用いて、配送料を使用するための取引情報を生成する。
【０２００】
より具体的には、初めに、販売者または購入者は、配送料に対応する仮想資産（以下では、配送料に対応する仮想資産を単に「配送料」という。）を配送者に送信するための取引情報を作成する。この取引情報で送金される仮想資産は、所定の条件を満たした場合にのみ、使用できるように制御されている。具体的には、この取引情報で送金された仮想資産は、販売者キーと購入者キーと配送者の秘密鍵による署名によって解錠されるように制御されている。
【０２０１】
この取引システム１では、例えば、配送者の有する配送者端末１２０Ａと、配送元ユーザの有する販売者端末１２０Ｂと、配送先ユーザの有する購入者端末１２０Ｃと、がネットワーク１３０を介して接続される。
【０２０２】
以下、説明のために電子商取引プラットフォームを想定して、配送依頼を受けた個人が利用する端末を配送者端末１２０Ａ、配送元ユーザ（販売者）が利用する端末を販売者端末１２０Ｂ、配送先ユーザ（購入者）が利用する端末を購入者端末１２０Ｃとして説明する。但し、第２実施形態はこれに限定されるものではない。
【０２０３】
＜第２実施形態の効果＞
第２実施形態によれば、第１実施形態における配送の信頼性向上に加え、配送元ユーザ及び／又は配送先ユーザは、仮想資産により配送料の支払いを行うことが可能となり、配送者は、仮想資産による配送料の支払いを受けることが可能となる。
【０２０４】
第２実施形態においては、第１実施形態におけるサーバ１１０が担う処理をブロックチェーンネットワークにより代替させることができ、サーバ１１０を不要とすることができる。
【０２０５】
＜第２実施形態の機能構成＞
以下の説明において、上記第１実施形態と同様の機能構成については同一の符号を付すと共に、説明を省略する。また、第１実施形態と同様の作用および効果についても、説明を省略する。以下、第１実施形態との相違点を中心に説明する。
【０２０６】
図１８に、第２実施形態に係る配送者端末１２０Ａの機能的な構成を示すブロック図の一例を示す。また、図１９に、第２実施形態に係る販売者端末１２０Ｂ及び購入者端末１２０Ｃの機能的な構成を示すブロック図の一例を示す。第２実施形態において、配送者端末１２０Ａ、販売者端末１２０Ｂ、及び購入者端末１２０Ｃは、第１実施形態で説明した機能構成に加え、記憶部が取引情報ＤＢ１８２３，１９２３を有し、制御部が取引情報作成部１８３３，１９３３を有する。
【０２０７】
取引情報ＤＢ１８２３，１９２３には、例えば、ブロックチェーンネットワークに送信された取引情報に関する情報が管理される。
【０２０８】
図２０は第２実施形態における取引情報の構造を模式的に示した図である。取引情報は、当該取引情報を作成したユーザが、仮想資産を、移動先のユーザに使用可能にさせる条件を記述するものである。
【０２０９】
以下の例では、配送料を販売者が支払うものとして説明するが、これに限定されず、購入者が支払っても良い。図２０において、取引情報Ｔ０１は、販売者から配送者に配送料を送金するための取引情報であり、取引情報Ｔ０２は、送金された配送料を配送者が、解放（使用）するための取引情報である。
【０２１０】
取引情報はインプットとアウトプットを含む。アウトプットには、例えば送金金額と解錠条件とが指定されている。解錠条件は、今回送金する仮想資産を別の取引情報で使用する際に必要な条件である。なお、ある取引情報で作成されたアウトプットのうち、未だ別の取引情報のインプットで参照されていないアウトプットをＵＴＸＯともいう。
【０２１１】
取引情報のインプットには、今回使用するＵＴＸＯを示す情報（例えばポインタ等である）や、ＵＴＸＯの解放条件が指定されている。解放条件は、ＵＴＸＯを使用するための条件であり、当該ＵＴＸＯが送金された取引情報のアウトプットにおいて指定されている解錠条件に対応する。
【０２１２】
ここで、取引情報Ｔ０１では、インプットに今回送金する配送料に対応する仮想資産を購入者が受け取ったＵＴＸＯを参照する情報と、当該ＵＴＸＯが指定する解錠条件に対応する解放条件（この例では販売者の署名と公開鍵）が指定されている。また、アウトプットに配送料の額と、解錠条件として以下の２つの条件が指定されている。
【０２１３】
解錠条件１：販売者キーのハッシュ値、購入者キーのハッシュ値、及び配送者の公開鍵のハッシュ値
解錠条件２：所定の経過時間、及び配送料を支払ったユーザ（この例では販売者）の公開鍵のハッシュ値
【０２１４】
なお、解錠条件に、あるユーザのデータ（値）のハッシュ値が指定されている場合、そのＵＴＸＯを参照する取引情報のインプットで指定される解放条件は、当該ハッシュ値のもととなるデータ（値）となる。さらに、解錠条件に公開鍵のハッシュ値が指定されている場合は、解放条件は当該公開鍵と、その公開鍵に対応する秘密鍵による署名となる。
【０２１５】
取引情報Ｔ０２には、インプットに取引情報Ｔ０１のアウトプット（ＵＴＸＯ）へのポインタと、当該ＵＴＸＯが指定する解錠条件に対応する解放条件（この例では、販売者キー、購入者キー、配送者の署名、及び配送者の公開鍵）とが指定されている。また、アウトプットとして、受け取った配送料のうち送金したい金額と、解錠条件（配送者の公開鍵のハッシュ値）とが指定されている。なお、解錠条件は図２０に示したものに限定されず、配送者が指定する任意のものでよい。また。取引情報Ｔ０２は複数のアウトプットを含んでもよく、アウトプット毎に異なる解錠条件を指定してもよい。
【０２１６】
このように、配送者が、取引情報Ｔ０１のアウトプットにおいて解錠条件２で指定された所定の期間以内に、販売者キーと購入者キーを取得して、取引情報Ｔ０２を作成することで、配送者は配送料を取得することができる。さらに、配送料を送金する取引情報Ｔ０１において、アウトプットの解錠条件として所定の経過時間と、配送料を支払ったユーザが解放可能な条件（自分の署名と公開鍵）とを指定することにより、解錠条件２で定められた所定の経過時間内に、解錠条件１に対応する解放条件を指定した取引情報がブロックチェーンネットワーク上に送信されなかった場合には、配送料を支払ったユーザに当該配送料が返金することができる。
【０２１７】
取引情報作成部１８３３，１９３３は、仮想資産を移動させるための取引情報を作成する機能を有する。取引情報作成部１８３３，１９３３が作成する取引情報は、例えば図２０に記載した取引情報が挙げられる。
【０２１８】
＜第２実施形態の取引システム動作処理＞
図２１を参照し、第２実施形態に係るプログラムの処理について説明する。図２１は、第２実施形態における取引システム１が行う処理を示すシーケンス図の一例を示す。なお、以下で説明する処理手順は一例に過ぎず、各処理は、本開示の技術思想の範囲内において可能な限り変更されてよく、また、適宜、ステップの省略、置換、および追加が可能である。
【０２１９】
（配送依頼と預金を確認する処理）
ステップＳ１８０１において、販売者端末１２０Ｂの配送依頼管理部７３１は、ユーザ操作に応じて、配送依頼を配送者端末１２０Ａに対して送信するよう販売者端末１２０Ｂの送信部に指示をする。なお、これに限定されず、購入者端末１２０Ｃの配送依頼管理部７３１が、配送者端末１２０Ａに対して、配送依頼を送信することもできる。また、各配送依頼について配送者管理するサーバ１１０を用いる場合には、配送依頼をサーバ１１０に対して行う構成としてもよい。
【０２２０】
ステップＳ１８０２において、販売者端末１２０Ｂの取引情報作成部１９３３は、ユーザ操作に応じて、配送料を配送者に送金する取引情報Ｔ０１を作成する。
【０２２１】
取引情報Ｔ０１では、当該取引情報Ｔ０１で生成されるアウトプットの解錠条件が指定される。例えば、解錠条件として販売者キーと購入者キーとを指定する場合、予め、販売者端末１２０Ｂの受信部は、購入者端末１２０Ｃから購入者キーを取得することが好ましい。
【０２２２】
ステップＳ１８０３において、販売者端末１２０Ｂの取引情報作成部１９３３は、作成した取引情報Ｔ０１をブロックチェーンネットワークに送信するよう、通信Ｉ／Ｆ７１２に指示する。そして、ステップＳ１８０４において、配送者端末１２０Ａの受信部は、上記取引情報Ｔ０１を、ブロックチェーンネットワークから受信する。これにより、配送者は、自身が解放可能な条件で配送料が送金されたことを確認する。
【０２２３】
なお、取引情報Ｔ０１は、購入者端末１２０Ｃの取引情報作成部１９３３が作成し、ブロックチェーンネットワークに送信してもよい。
【０２２４】
（販売者キー及び購入者キーを取得する処理）
販売者キー及び購入者キーを取得する処理は、第１実施形態と同様に行うことができる。
【０２２５】
例えば、ステップＳ１８０５において、配送者が配送元ユーザのもとに荷物の受け取りに伺った際に、配送者端末１２０Ａの光学的検知部５３２は、配送元ユーザが販売者端末１２０Ｂの画面に表示させた販売者コードを読み取り、販売者キーを取得する。そして、配送者端末１２０Ａの光学的検知部５３２は、取得した販売者キーを配送者端末１２０Ａの受任案件ＤＢ５２２に記憶させる。
【０２２６】
また、ステップＳ１８０６において、配送者が配送先ユーザのもとに荷物の受け渡しに伺った際に、配送者端末１２０Ａの光学的検知部５３２は、配送先ユーザが購入者端末１２０Ｃの画面に表示させた購入者コードを読み取り、購入者キーを取得する。そして、配送者端末１２０Ａの光学的検知部５３２は、取得した購入者キーを配送者端末１２０Ａの受任案件ＤＢ５２２に記憶させる。
【０２２７】
（配送料の支払い関する処理）
ステップＳ１８０７において、配送者端末１２０Ａの取引情報作成部１８３３は、販売者キーと購入者キーを用いて、取引情報Ｔ０２を作成する。さらに、ステップＳ１８０７において、配送者端末１２０Ａは、作成した取引情報Ｔ０２をブロックチェーンネットワークに送信するよう、通信Ｉ／Ｆに指示する。これにより、取引情報Ｔ０１のアウトプットが解放され、配送者が配送料を自由に使用可能になる。
【０２２８】
他方、取引情報Ｔ０１のアウトプットにおいて解錠条件として指定された経過時間までに取引情報Ｔ０２がブロックチェーンネットワークに送信されなかった場合には、配送者は取引情報Ｔ０１において送金された配送料を使用できなくなる。この場合には、販売者（配送料を支払ったユーザ）が自由に配送料に対応する仮想資産を利用できるようになる。
【０２２９】
＜第２実施形態の変形例＞
第２実施形態の変形例は、回収者に対する回収料の支払いを、仮想資産の取引情報（第２取引情報）により実行する例である。
【０２３０】
以下の説明において、上記第２実施形態と同様の機能構成については同一の符号を付すと共に、説明を省略する。また、第２実施形態と同様の作用および効果についても、説明を省略する。以下、第２実施形態との相違点を中心に説明する。
【０２３１】
本変形例において、回収者端末１２０Ａ及び依頼者端末１２０Ｂは、図１８及び図１９で示した機能構成を有する。
【０２３２】
図２２は本変形例における取引情報の構造を模式的に示した図である。図２２において、取引情報Ｔ０３は、ゴミの回収依頼者から回収者に回収料を送金するための取引情報であり、取引情報Ｔ０４は、送金された回収料を回収者が、解放（使用）するための取引情報である。図２２を用いて、第２実施形態における取引情報の構造の違いを中心に説明する。
【０２３３】
取引情報Ｔ０３では、インプットに今回送金する回収料に対応する仮想資産を依頼者が受け取ったＵＴＸＯを参照する情報と、当該ＵＴＸＯが指定する解錠条件に対応する解放条件（この例では依頼者の署名と公開鍵）が指定されている。また、アウトプットに回収料の額と、解錠条件として以下の２つの条件が指定されている。
【０２３４】
解錠条件１：情報キーのハッシュ値、及び回収者の公開鍵のハッシュ値
解錠条件２：所定の経過時間、及び回収料を支払ったユーザ（この例では依頼者）の公開鍵のハッシュ値
【０２３５】
取引情報Ｔ０４には、インプットに取引情報Ｔ０３のアウトプット（ＵＴＸＯ）へのポインタと、当該ＵＴＸＯが指定する解錠条件に対応する解放条件（この例では、情報キー、及び回収者の公開鍵）とが指定されている。また、アウトプットとして、受け取った回収料のうち送金したい金額と、解錠条件（回収者の公開鍵のハッシュ値）とが指定されている。なお、取引情報Ｔ０４の解錠条件は図２２に示したものに限定されず、回収者が指定する任意のものでよい。また取引情報Ｔ０４は複数のアウトプットを含んでもよく、アウトプット毎に異なる解錠条件を指定してもよい。
【０２３６】
このように、回収者が、取引情報Ｔ０４のアウトプットにおいて解錠条件２で指定された所定の期間以内に、情報キーを取得して、取引情報Ｔ０４を作成することで、回収者は回収料を取得することができる。さらに、回収料を送金する取引情報Ｔ０３において、アウトプットの解錠条件として所定の経過時間と、回収料を支払ったユーザが解放可能な条件（自分の署名と公開鍵）とを指定することにより、解錠条件２で定められた所定の経過時間内に、解錠条件１に対応する解放条件を指定した取引情報がブロックチェーンネットワーク上に送信されなかった場合には、依頼者に回収料を返金することができる。
【０２３７】
＜第２実施形態の変形例の取引システム動作処理＞
図２３を参照し、第２実施形態の変形例に係るプログラムの処理について説明する。図２３は、第２実施形態における取引システム１が行う処理を示すシーケンス図の一例を示す。なお、以下で説明する処理手順は一例に過ぎず、各処理は、本開示の技術思想の範囲内において可能な限り変更されてよく、また、適宜、ステップの省略、置換、および追加が可能である。
【０２３８】
（回収依頼と取引情報を確認する処理）
ステップＳ２３０１において、依頼者端末１２０Ｂの回収依頼管理部１５３１は、ユーザ操作に応じて、回収依頼を回収者端末１２０Ａに対して送信するよう依頼者端末１２０Ｂの送信部に指示をする。なお、各回収依頼について回収者を管理するサーバ１１０を用いる場合には、回収依頼をサーバ１１０に対して行う構成としてもよい。
【０２３９】
ステップＳ２３０２及びステップＳ２３０３において、依頼者端末１２０Ｂの取引情報作成部１９３３は、ユーザ操作に応じて、所定の仮想資産（回収料）を移動させる取引情報Ｔ０３を作成し、ブロックチェーンネットワークに送信する。そして、ステップＳ２３０４において、回収者端末１２０Ａの受信部は、上記取引情報Ｔ０３を、ブロックチェーンネットワークから受信する。
【０２４０】
（情報キーを取得する処理）
情報キーを取得する処理は、第２実施形態と同様に行うことができる。例えば、ステップＳ２３０５において、回収者が回収元ユーザのもとに物品の受け取りに伺った際に、回収者端末１２０Ａの光学的検知部１３３２は、回収元ユーザが依頼者端末１２０Ｂの画面に表示させた情報コードを読み取り、情報キーを取得する。そして、回収者端末１２０Ａの光学的検知部１３３２は、取得した情報キーを回収者端末１２０Ａの回収依頼ＤＢ１３２２に記憶させる。
【０２４１】
（回収料の支払い関する処理）
ステップＳ２３０６において、回収者端末１２０Ａの取引情報作成部１８３３は、情報キーを用いて、取引情報Ｔ０４を作成する。さらに、ステップＳ２３０７において、回収者端末１２０Ａは、作成した取引情報Ｔ０４をブロックチェーンネットワークに送信するよう、通信Ｉ／Ｆに指示する。これにより、取引情報Ｔ０３のアウトプットが解放され、回収者が回収料を自由に使用可能になる。
【０２４２】
なお、上述したとおり、本発明は、上記の実施形態及び実施例に限定されるものではなく、その要旨を逸脱しない範囲内において様々な変形が可能である。すなわち、上記実施形態はあらゆる点で単なる例示にすぎず、限定的に解釈されるものではない。
【０２４３】
例えば、第２実施形態における回収依頼は、所定の者が依頼主のもとに行き、情報コードを読み取ることで、依頼された事項についての対価の支払いを受けるようなものであれば、物品の回収依頼に限られるものではない。このような例としては、宅配業者が玄関前に商品を置いておく留め置きサービスが挙げられる。留め置きサービスの場合は、宅配業者は、商品を依頼主の玄関前等、所定の場所まで配送し、所定の場所に設置されたＱＲコードなどの情報コードを読み込む。これにより、配送が完了したものとして、その対価を得るようにすることができる。
【０２４４】
また、例えば、秘密鍵に代えて共通鍵を用いてもよいし、ブロックチェーンネットワークは、ブロックチェーンに関する情報をノード間で分散共有するネットワークであれば、必ずしもその通信手段がＰ２Ｐ通信プロトコルに従う必要はない。
【符号の説明】
【０２４５】
１…取引システム、１１０，１１０Ａ，１１０Ｂ…サーバ、１２０…端末、１２０Ａ…配送者端末、１２０Ｂ…販売者端末、１２０Ｃ…購入者端末、１２０Ｘ…端末、１３０…ネットワーク、２００…情報処理装置、２０１…プロセッサ、２０２…メモリ、２０３…ストレージ、２０４…入出力インタフェース（入出力Ｉ／Ｆ）、２０５…通信インタフェース（通信Ｉ／Ｆ）、３２０…記憶部、３２１…プログラム、３３０…制御部、３３１…配送依頼管理部、３３１…配送依頼管理、３３２…決済処理部、５２０…記憶部、５２１…プログラム、５２２…案件受任ＤＢ、５３０…制御部、５３１…配送依頼管理部、５３１…回収依頼管理部、５３２…光学的検知部、５３２…光学検知部、７２０…記憶部、７２１…プログラム、７２２…配送依頼ＤＢ、７３０…制御部、７３１…配送依頼管理部、７３２…情報コード表示部、１１２０…記憶部、１１２１…プログラム、１１３０…制御部、１１３１…回収依頼管理部、１１３１…回収依頼管理、１１３２…決済処理部、１３２０…記憶部、１３２１…プログラム、１３３０…制御部、１３３１…回収依頼管理部、１３３２…光学的検知部、１５２０…記憶部、１５２１…プログラム、１５３０…制御部、１５３１…回収依頼管理部、１５３２…情報コード表示部、１８３３，１９３３…取引情報作成部、１８２３，１９２３…取引情報ＤＢ。
【図１】
2020123265.tif 000003
【図２】
2020123265.tif 000004
【図３】
2020123265.tif 000005
【図４】
2020123265.tif 000006
【図５】
2020123265.tif 000007
【図６】
2020123265.tif 000008
【図７】
2020123265.tif 000009
【図８】
2020123265.tif 000010
【図９】
2020123265.tif 000011
【図１０】
2020123265.tif 000012
【図１１】
2020123265.tif 000013
【図１２】
2020123265.tif 000014
【図１３】
2020123265.tif 000015
【図１４】
2020123265.tif 000016
【図１５】
2020123265.tif 000017
【図１６】
2020123265.tif 000018
【図１７】
2020123265.tif 000019
【図１８】
2020123265.tif 000020
【図１９】
2020123265.tif 000021
【図２０】
2020123265.tif 000022
【図２１】
2020123265.tif 000023
【図２２】
2020123265.tif 000024
【図２３】
2020123265.tif 000025